(57)【要約】【課題】物品に付された標記を特定の方向により確実に向ける。【解決手段】第２調整機構７００では、スライド部材７２０の上面にラックギア部７２４が設けられている。また、円筒状に形成されこのラックギア部７２４に噛み合うギア７５１と、ギア７５１が一方の端部側に取り付けられたシャフト７５２と、第２天井部５３８に固定されシャフト７５２を支持する軸受け７５３と、シャフト７５２の他方の端部側に取り付けられるとともに円盤状に形成されユーザからの操作を受け付ける受け付け部材７５０が設けられている。（Ｂ）の状態から、受け付け部材７５０を反時計回り方向に回転させると、ギア７５１も反時計回り方向に回転し、ラックギア部７２４を介してスライド部材７２０に駆動力が伝達される。これにより、第２ガイド５２０は、第１ガイド５１０が設けられている側に向かって移動する。【選択図】図１３
2010279607.tif 000002
【特許請求の範囲】
【請求項１】
外周面に標記が付された物品と、
前記物品を陳列する陳列装置と、
を備え、
前記陳列装置は、
前記物品を予め定められた移動経路に沿って移動させる移動手段と、
前記移動手段により移動する前記物品に接触可能な接触面を有し、当該物品の前記標記が特定の方向を向いていない場合に当該物品に対し当該接触面を接触させることで抗力を与え又は当該物品を当該接触面に対して滑らせ、当該物品に回転力を付与する付与部材と、
を備え、
前記付与部材は、前記陳列装置における位置が調整可能に設けられていることを特徴とする物品陳列システム。
【請求項２】
前記陳列装置は、所定の奥行き寸法および幅寸法を有し、
前記移動手段は、前記陳列装置の奥行き方向に沿って設けられた前記移動経路に沿って前記物品を移動させ、
前記付与部材は、前記陳列装置の幅方向における位置および当該陳列装置の高さ方向における位置が調整可能に設けられていることを特徴とする請求項１記載の物品陳列システム。
【請求項３】
ユーザの操作を受け付ける受け付け部と、
前記受け付け部にて受け付けた操作力を前記付与部材に伝達し当該付与部材を移動させる移動機構と、
を更に備えることを特徴とする請求項１又は２に記載の物品陳列システム。
【請求項４】
前記受け付け部は、前記陳列装置の上部に設けられていることを特徴とする請求項３記載の物品陳列システム。
【請求項５】
前記陳列装置は、
前記物品が投入される投入部と、
前記投入部に投入され前記移動手段により移動した前記物品が取り出される取り出し部と、を更に備え、
前記受け付け部は、前記投入部が設けられている投入部側および前記取り出し部が設けられている取り出し部側のうち当該投入部側に設けられていることを特徴とする請求項３又は４に記載の物品陳列システム。
【請求項６】
外周面に標記が付された物品を陳列可能な陳列装置であって、
前記物品を予め定められた移動経路に沿って移動させる移動手段と、
前記移動手段により移動する前記物品に接触可能な接触面を有し、当該物品の前記標記が特定の方向を向いていない場合に当該物品に対し当該接触面を接触させることで抗力を与え又は当該物品を当該接触面に対して滑らせ、当該物品に回転力を付与する付与部材と、
を備え、
前記付与部材は、前記陳列装置における位置が調整可能に設けられていることを特徴とする陳列装置。
【請求項７】
前記陳列装置は、所定の奥行き寸法および幅寸法を有し、
前記移動手段は、前記陳列装置の奥行き方向に沿って設けられた前記移動経路に沿って前記物品を移動させ、
前記付与部材は、前記陳列装置の幅方向における位置および当該陳列装置の高さ方向における位置が調整可能に設けられていることを特徴とする請求項６記載の陳列装置。
【請求項８】
前記付与部材は、前記物品の前記移動経路の一方の側方側に設けられ、移動する当該物品の一部を前記接触面を用いて下方から支持し当該物品を当該移動経路の他方の側方側に傾斜させるとともに、当該物品の当該一部に抗力を与え又は当該一部を当該接触面に対して滑らせることで前記回転力を付与し、
前記移動経路の前記他方の側方側に設けられ、前記付与部材により当該他方の側方側に傾斜する前記物品に接触し当該物品の側方から当該物品を支持する支持部を更に備え、
前記支持部は、前記陳列装置における位置が調整可能に設けられていることを特徴とする請求項６又は７に記載の陳列装置。
【請求項９】
前記付与部材は、前記物品の前記移動経路の一方の側方側に設けられ、移動する当該物品の一部を前記接触面を用いて下方から支持し当該物品を当該移動経路の他方の側方側に傾斜させ、
前記移動経路の前記他方の側方側に設けられ、前記付与部材により当該他方の側方側に傾斜する前記物品の外周面に接触し当該物品の当該他方の側方側における移動を規制することで前記接触面に対する当該物品の前記滑りを生じさせる外周面接触部を更に備え、
前記外周面接触部は、前記陳列装置における位置が調整可能に設けられていることを特徴とする請求項６又は７に記載の陳列装置。
【請求項１０】
前記物品は、前記付与部材により支持される前記一部に、前記標記が前記特定の方向を向いた場合に当該付与部材による当該支持を解除する部位を有していることを特徴とする請求項８又は９に記載の陳列装置。
【発明の詳細な説明】
【技術分野】
【０００１】
本発明は、物品を陳列する物品陳列システム等に関する。
【背景技術】
【０００２】
例えばコンビニエンスストアなどにおいては、ペットボトルなど飲料が充填された容器が、陳列装置に縦置きに載せられて販売される。そしてこのような陳列装置は、例えば、容器自身の自重により陳列ケースの前方に容器が移動するように傾斜した状態で配置される。そして、手前側（最前列）の１つの容器を抜き取ると、後続の容器が自重で手前側に移動する。
ここで陳列装置の容器が載せられる箇所には、容器の滑りの良さから例えばプラスチックの平板が設けられる。また、近年では回転可能なローラを多数配置した陳列装置が提案されている（例えば、特許文献１参照）。また、容器の補充は陳列装置の後方側から行うのが一般的であるが、手前側からの容器の投入を可能とするとともに、奥側に移動した容器が、再度手前側に移動し陳列される陳列装置も提案されている（例えば、特許文献２参照）。即ち、前方側から投入された容器がＵターンして戻ってくる陳列装置が提案されている。さらに、容器に関するものとして、缶底に形成された環状凸部の内周壁に、内側凹部と縦リブとが円周方向に交互に形成された缶が提案されている（例えば、特許文献３参照）。
【先行技術文献】
【特許文献】
【０００３】
【特許文献１】特開平１１−１５５７０１号公報
【特許文献２】米国特許第６５０２４０８号
【特許文献３】特開２０００−２１１６２４号公報
【発明の概要】
【発明が解決しようとする課題】
【０００４】
ところで、飲料容器などの物品の外面には、商品名や商標名など他の商品と識別するための標記が設けられるが、この標記が購入者の取り出し方向に向いていないと、商品の識別がしにくくなるとともに、商品の陳列時の見栄えが悪くなる。このため、陳列される物品は、例えば前方側など、標記が特定の方向に向いていることが好ましい。
物品に付された上記標記は、物品を例えば周方向に回転させることによって特定の方向に向けることが可能となる。この回転は、予め定められた移動経路に沿って物品を移動させるとともに、例えば、物品の一部を陳列装置の所定部位に接触させ物品に抗力を与えることで行うことができる。
ここで、陳列装置では、一種類の物品のみならず異なる種類の物品を陳列できる方が好ましい。ところでこの場合、陳列される物品によってはサイズや形状などが異なるようになり、物品の上記回転を行うことができず上記標記が特定の方向を向かない場合が生じてしまう。
【課題を解決するための手段】
【０００５】
本発明が適用される物品陳列システムは、外周面に標記が付された物品と、物品を陳列する陳列装置と、を備え、陳列装置は、物品を予め定められた移動経路に沿って移動させる移動手段と、移動手段により移動する物品に接触可能な接触面を有し、物品の標記が特定の方向を向いていない場合に物品に対し接触面を接触させることで抗力を与え又は物品を接触面に対して滑らせ、物品に回転力を付与する付与部材と、を備え、付与部材は、陳列装置における位置が調整可能に設けられていることを特徴とする物品陳列システムである。
【０００６】
ここで、陳列装置は、所定の奥行き寸法および幅寸法を有し、移動手段は、陳列装置の奥行き方向に沿って設けられた移動経路に沿って物品を移動させ、付与部材は、陳列装置の幅方向における位置および陳列装置の高さ方向における位置が調整可能に設けられていることを特徴とすることができる。また、ユーザの操作を受け付ける受け付け部と、受け付け部にて受け付けた操作力を付与部材に伝達し付与部材を移動させる移動機構と、を更に備えることを特徴とすることができる。さらに、受け付け部は、陳列装置の上部に設けられていることを特徴とすることができる。また、陳列装置は、物品が投入される投入部と、投入部に投入され移動手段により移動した物品が取り出される取り出し部と、を更に備え、受け付け部は、投入部が設けられている投入部側および取り出し部が設けられている取り出し部側のうち投入部側に設けられていることを特徴とすることができる。
【０００７】
また、本発明を陳列装置と捉えた場合、本発明が適用される陳列装置は、外周面に標記が付された物品を陳列可能な陳列装置であって、物品を予め定められた移動経路に沿って移動させる移動手段と、移動手段により移動する物品に接触可能な接触面を有し、物品の標記が特定の方向を向いていない場合に物品に対し接触面を接触させることで抗力を与え又は物品を接触面に対して滑らせ、物品に回転力を付与する付与部材と、を備え、付与部材は、陳列装置における位置が調整可能に設けられていることを特徴とする陳列装置である。
【０００８】
ここで、陳列装置は、所定の奥行き寸法および幅寸法を有し、移動手段は、陳列装置の奥行き方向に沿って設けられた移動経路に沿って物品を移動させ、付与部材は、陳列装置の幅方向における位置および陳列装置の高さ方向における位置が調整可能に設けられていることを特徴とすることができる。また、付与部材は、物品の移動経路の一方の側方側に設けられ、移動する物品の一部を接触面を用いて下方から支持し物品を移動経路の他方の側方側に傾斜させるとともに、物品の一部に抗力を与え又は一部を接触面に対して滑らせることで回転力を付与し、移動経路の他方の側方側に設けられ、付与部材により他方の側方側に傾斜する物品に接触し物品の側方から物品を支持する支持部を更に備え、支持部は、陳列装置における位置が調整可能に設けられていることを特徴とすることができる。
【０００９】
また、付与部材は、物品の移動経路の一方の側方側に設けられ、移動する物品の一部を接触面を用いて下方から支持し物品を移動経路の他方の側方側に傾斜させ、移動経路の他方の側方側に設けられ、付与部材により他方の側方側に傾斜する物品の外周面に接触し物品の他方の側方側における移動を規制することで接触面に対する物品の滑りを生じさせる外周面接触部を更に備え、外周面接触部は、陳列装置における位置が調整可能に設けられていることを特徴とすることができる。さらに、物品は、付与部材により支持される一部に、標記が特定の方向を向いた場合に付与部材による支持を解除する部位を有していることを特徴とすることができる。
【発明の効果】
【００１０】
本発明を採用しない場合に比べ、物品に付された標記を特定の方向により確実に向けることが可能となる。
【図面の簡単な説明】
【００１１】
【図１】陳列装置の概略構成を示した図である。
【図２】陳列装置に陳列される容器を説明するための図である。
【図３】陳列装置の上面図である。
【図４】陳列装置の正面図および背面図等である。
【図５】陳列装置の右側面図である。
【図６】回転機構を説明するための図である。
【図７】容器の動作を説明するための図である。
【図８】容器の動作を説明するための図である。
【図９】陳列装置の変形例を示した図である。
【図１０】陳列装置の変形例を示した図である。
【図１１】容器の変形例を示した図である。
【図１２】容器の変形例を示した図である。
【図１３】第１調整機構および第２調整機構の他の実施形態を示した図である。
【図１４】第１調整機構および第２調整機構の他の実施形態を示した図である。
【図１５】回転機構の他の実施形態を示した図である。
【図１６】陳列装置の上面図である。
【図１７】陳列装置の正面図および背面図である。
【図１８】陳列装置の左側面図である。
【図１９】陳列装置の他の実施形態を説明するための図である。
【図２０】容器の動作を説明するための図である。
【図２１】容器の動作を説明するための図である。
【発明を実施するための形態】
【００１２】
以下、添付図面を参照して、本発明を実施するための形態について詳細に説明する。
図１は、本発明の実施形態に係る陳列装置の概略構成を示した図である。
同図（Ａ）に示すように本実施形態における陳列装置３０は、所定の奥行き寸法および幅寸法を有している。また、陳列装置３０は、図柄が印刷されたフィルムＦが外周面に装着され且つ飲料が内部に充填された容器２０（物品の一例）が載せられる容器載置面３１Ａを有した載置部３１を備えている。また、陳列装置３０は、陳列装置３０の奥行き方向に沿って設けられた移動経路（容器２０の移動経路）を形成するとともに容器２０の移動を案内するガイド３２を備えている。また、載置部３１の一側辺に沿って配置され、容器２０の移動を停止させる、好ましくは透明に形成される規制板３４を備えている。また、陳列装置３０は、容器２０を回転させ容器２０に付された識別標記（後述）を陳列装置３０の前方に向ける回転機構５００を備えている。
【００１３】
陳列装置３０は、同図（Ｂ）に示すように、コンビニエンスストア、スーパーマーケットなどに設置される陳列ケース１０の内部に収納される。この陳列ケース１０は、直方体状に形成されたケース本体部１０Ａと、このケース本体部１０Ａに対して開閉可能に設けられたドア１０Ｂとにより主要部が構成されている。
ここで陳列装置３０は、陳列ケース１０に設けられた棚（不図示）の上に載せられる。この際、陳列装置３０は、規制板３４が設けられた側がドア１０Ｂ側に位置するように設置される。また載置部３１は、規制板３４が設けられた側が、規制板３４が設けられた側とは反対側よりも下方に位置するように配置される。このため、載置部３１の容器載置面３１Ａは、陳列ケース１０の後方側から容器２０が取り出される前方側（取り出し部側）に向かって下り傾斜した状態となっている。
【００１４】
ここで本実施形態における陳列ケース１０は、後方側にもドアが設けられ（不図示）、後方側も開放可能となっている。そしてこの後方側より陳列装置３０に容器２０が投入される。即ち、陳列ケース１０の後方側および陳列装置３０の後方側に容器２０の投入部が設けられた構成となっている。そして、投入された容器２０は載置部３１上をドア１０Ｂ側に向かって移動し、容器２０の取り出し部まで到達する。なお、本明細書では、ドア１０Ｂ側を前方側（前方）と称しドア１０Ｂとは反対側を後方側（後方）と称する場合がある。また、陳列ケース１０の幅方向（容器２０が移動する方向に直交する方向）を横方向、幅方向と称する場合がある。
【００１５】
次いで容器２０について説明する。
図２は、陳列装置３０に陳列される容器２０を説明するための図である。なお、同図（Ａ）は正面図を示し、同図（Ｂ）は同図（Ａ）のＡ−Ａ線における断面図を示している。
【００１６】
容器２０は、ＰＥＴ（ポリエチレンテレフタレート）などの樹脂材料により形成された容器を例示している。このような容器２０は、例えば、樹脂材料を用いた射出成形（ブロー成形）法、樹脂材料を用いてプリフォームを成形後、これをブロー成形する方法により製造することができる。
同図（Ａ）に示すように本実施形態における容器２０は、上部に開口（飲み口）を有し且つ筒状に形成され内部に飲料が充填された容器本体２１と、容器本体２１の開口を塞ぐキャップ２２とを備えている。また容器本体２１の外周面には、上記のとおりフィルムＦが装着されている。
【００１７】
ここでキャップ２２は、その外周面に、キャップ２２の高さ方向に沿って形成された凸部、同じく高さ方向に沿って形成された凹部を有している。この凸部および凹部は複数設けられるとともに、キャップ２２の周方向において交互に配置されている。
またフィルムＦには、同図（Ａ）、（Ｂ）に示すように、商品名、商標名など他の商品と識別するための第１識別標記２３ａ、第２識別標記２３ｂが印刷されている（なお本明細書においては、以下単に「識別標記２３」と称する場合がある。）。ここで、第１識別標記２３ａおよび第２識別標記２３ｂは、同一の形態でもいいし異なる形態とすることもできる。なお第１識別標記２３ａおよび第２識別標記２３ｂは、容器２０の周方向において、位相が１８０°ずれた状態で配置されている。
【００１８】
また容器２０は、容器本体２１の上部に（キャップ２２の下部に）、容器本体２１の外周面から容器本体２１の径方向に突出した突出部（鍔部）２４を備えている。
突出部２４は、容器本体２１と一体に形成されるとともに、容器本体２１の周方向に沿うように設けられている。また、突出部２４は、同図（Ｂ）に示すように、直径Ｄ２を有した円の一部が切り欠かれた形状となっている。付言すれば、突出部２４は、直径Ｄ２を有した円の一部に面削ぎ状の部位が設けられた状態となっている。更に説明すれば、突出部２４は、直径Ｄ２を有した円の一部に、第１平坦部２４１が設けられ、他の一部に、第２平坦部２４２が設けられた状態となっている。なお、第１平坦部２４１および第２平坦部２４２は、第１識別標記２３ａが向く方向および第２識別標記２３ｂが向く方向に沿うように設けられている。なお、突出部２４のうち上記切り欠かれた部位（面削ぎ状の部位）は、第１識別標記２３ａ又は第２識別標記２３ｂが陳列装置３０の前方（特定の方向）を向いた場合に、第２ガイド５２０（後述）による支持を解除する部位として捉えることができる。
【００１９】
さらに説明すると、突出部２４は、第１識別標記２３ａが向いている方向および第２識別標記２３ｂが向いている方向に延びることで容器本体２１の外周面から突出した状態となっている。また、突出部２４は、第１識別標記２３ａが向いている方向と直交する方向および第２識別標記２３ｂが向いている方向と直交する方向に延びるように突出している。但し、この部位における突出量は、上記第１識別標記２３ａが向いている方向および第２識別標記２３ｂが向いている方向に突出した部位の突出量よりも小さくなっている。
【００２０】
また、第１平坦部２４１および第２平坦部２４２は、互いに平行となる関係で配置されている。また、第１平坦部２４１と第２平坦部２４２とは、上記直径Ｄ２の大きさよりも小さい距離Ｄ１をおいて配置されている。さらに、識別標記２３との関係を説明すると、第１平坦部２４１および第２平坦部２４２は、第１識別標記２３ａおよび第２識別標記２３ｂに対し、位相が９０°ずれた状態で配置されている。
【００２１】
さらに説明すると、第１識別標記２３ａ又は第２識別標記２３ｂが陳列装置３０（図１（Ａ）参照）の前方を向いた際における突出部２４の幅はＤ１となる。また、第１識別標記２３ａ又は第２識別標記２３ｂが陳列装置３０の幅方向を向いた際における突出部２４の幅はＤ２となる。さらに説明すると、第１識別標記２３ａ又は第２識別標記２３ｂが向いている方向における突出部２４の幅はＤ２となり、第１識別標記２３ａ又は第２識別標記２３ｂが向いている方向と直交する方向における突出部２４の幅はＤ２よりも小さいＤ１となる。さらに説明すると、第１識別標記２３ａ又は第２識別標記２３ｂが付された側から容器２０を眺めた場合に、突出部２４は、奥行き方向の寸法がＤ２となり、幅方向の寸法がこのＤ２よりも小さいＤ１となる。
【００２２】
次に陳列装置３０についてより詳細に説明する。
図３は、陳列装置３０の上面図である。なお、図３では、図４に示す第１調整機構６００、第２調整機構７００等の図示を省略している。また、図４は、陳列装置３０の正面図および背面図等を示している。詳細には、図４（Ａ）は正面図を示し、図４（Ｂ）は背面図を示し、図４（Ｃ）は上面図を示している。また、図５は、陳列装置３０の右側面図である。また図６は、回転機構５００を説明するための図である。
【００２３】
本実施形態における陳列装置３０では、図３に示すように、移動手段の一つとして機能する載置部３１の容器載置面３１Ａに、複数のロール状部材３１１が設けられている。詳細に説明すると、複数のロール状部材３１１が前後方向に沿って並べられた第１ローラ列３１２と、同じく複数のロール状部材３１１が前後方向に沿って並べられた第２ローラ列３１３とが、容器載置面３１Ａに設けられている。各々のロール状部材３１１は、容器２０の移動経路に沿った回転が可能なように設けられており、容器２０を前方へ円滑に移動させる。
【００２４】
また、陳列装置３０は、上記のとおり、容器２０を回転させ容器２０に付された識別標記２３を前方に向ける回転機構５００を備えている。
ここで回転機構５００は、陳列装置３０の前後方向に沿って設けられた第１ガイド５１０と、第２ガイド５２０とを有している。
支持部の一例としての第１ガイド５１０は、円柱状の部材により構成され、載置部３１の上方に設けられている。また、容器２０の移動経路に沿って設けられている。さらに、容器２０の移動経路の一方の側方側に設けられている。
【００２５】
付与部材の一例としての第２ガイド５２０は、円柱状の部材により構成され、載置部３１の上方に設けられている。また、第２ガイド５２０は、第１ガイド５１０との間に間隙を有する状態で設けられている。さらに、容器２０の移動経路に沿って設けられるとともに容器２０の移動経路の他方の側方側に設けられている。この第２ガイド５２０は、その前方に直線状に形成されたストレート部５２１を有し、その後方に傾斜部５２２を有している。
【００２６】
ここで、傾斜部５２２は、陳列装置３０の後方側に向かうに従い右方側のガイド３２に接近するように配置されている。また、傾斜部５２２は、図５にも示すように、陳列装置３０の後方側に向かうに従い容器載置面３１Ａに接近するように配置されている。付言すれば、陳列装置３０の前方に向かうに従い容器載置面３１Ａから離れるように配置されている。また傾斜部５２２は、その端部（図中上端部）が、投入された容器２０の突出部２４（図２（Ａ）参照）における下面よりも下方に位置するように配置されている。この傾斜部５２２は、投入された容器２０を第１ガイド５１０側に誘導する。また、傾斜部５２２およびストレート部５２１は、後述するように容器２０を下方から持ち上げ容器２０に傾斜を付与する。
【００２７】
ここで図４、図５を参照して回転機構５００について更に詳細に説明する。
図４（Ａ）に示すように、回転機構５００には、上方に延びるように設けられるとともに左側のガイド３２に固定された第１固定部材５３１、ねじ５３３によってこの第１固定部材５３１に対し固定された第１側壁５３２、第１側壁５３２と直交するように設けられるとともに容器２０の移動経路の上方に位置する第１天井部５３４が設けられている。
【００２８】
また、回転機構５００には、上方に延びるように設けられるとともに右側のガイド３２に固定された第２固定部材５３５、ねじ５３７によってこの第２固定部材５３５に対し固定された第２側壁５３６、第２側壁５３６と直交するように設けられるとともに容器２０の移動経路の上方に位置する第２天井部５３８が設けられている。また、陳列装置３０の幅方向における第１ガイド５１０の位置を調整する第１調整機構６００、同じく陳列装置３０の幅方向における第２ガイド５２０の位置を調整する第２調整機構７００が設けられている。
【００２９】
ここで、第２ガイド５２０は、陳列装置３０の高さ方向における位置が調整可能に設けられている。図５を用いて説明すると、第２側壁５３６には、第２側壁５３６の厚み方向に貫通するとともに陳列装置３０の高さ方向に沿って設けられた第１長孔５３６Ａおよび第２長孔５３６Ｂが設けられている。そして本実施形態では、第１長孔５３６Ａおよび第２長孔５３６Ｂの各々にねじ５３７が通されるとともに、各ねじ５３７は、第２固定部材５３５に形成された不図示のねじ孔に固定されている。このため、ねじ５３７による固定を緩めることで第２側壁５３６が陳列装置３０の上下方向に移動可能となるとともに、第２天井部５３８も上下方向に移動可能となる。この結果、第２天井部５３８に固定された第２ガイド５２０も上下方向に移動可能となる。即ち、第２ガイド５２０の高さ方向における位置が調整可能となる。なお、第１側壁５３２側も同様に構成されており、第１ガイド５１０は、陳列装置３０の高さ方向における位置が調整可能に設けられている。
【００３０】
次いで、第１調整機構６００について詳細に説明する。
第１調整機構６００は、図４（Ｃ）に示すように、回転可能に設けられユーザからの操作を受け付ける受け付け部材６１０、受け付け部材６１０から駆動力を受け陳列装置３０の幅方向にスライド移動するスライド部材６２０、スライド部材６２０のスライドをガイドするガイド部６３０、第１ガイド５１０を支持する支持部材６４０を備えている。
【００３１】
受け付け部材６１０は、円盤状に形成されるとともに回転可能な状態で第１天井部５３４に固定されている。また、受け付け部材６１０は、第１天井部５３４と対向する面にギア６１１を備える。
スライド部材６２０は、矩形状に形成されるとともに第１天井部５３４に載せられた状態となっている。また、スライド部材６２０は、４つの側辺のうちの１側辺から内方側に凹む溝６２１を有するとともに、この溝６２１内にラックギア部６２２を有している。そしてこのラックギア部６２２は、受け付け部材６１０に設けられたギア６１１に噛み合う状態となっている。
【００３２】
ガイド部６３０は、スライド部材６２０の４つの側辺のうちの陳列装置３０の幅方向に沿った側辺に沿って設けられ、スライド部材６２０が陳列装置３０の幅方向に移動するようにガイドする。なお、ガイド部６３０は、２つ設けられ、スライド部材６２０を挟むように対向する関係で配置されている。
支持部材６４０は、板状に形成されるとともに一端が第１ガイド５１０に固定され他端がスライド部材６２０の下面に固定されている。なお、支持部材６４０は、第１天井部５３４に形成された貫通孔５３４Ａを通じ、スライド部材６２０から下方に延びている。
【００３３】
ここで第１ガイド５１０は、陳列装置３０の幅方向における位置が調整可能に設けられている。例えば、図４（Ｃ）の状態から受け付け部材６１０を時計回り方向に回すと、スライド部材６２０は左方向に移動する。これにより、支持部材６４０が左方へ移動するとともに第１ガイド５１０も左方へ移動するようになる。また、例えば、図４（Ｃ）の状態から受け付け部材６１０を反時計回り方向に回すと、スライド部材６２０は右方向に移動する。これにより、支持部材６４０が右方へ移動するとともに第１ガイド５１０も右方へ移動するようになる。
【００３４】
なお、第２調整機構７００も第１調整機構６００と同様に構成され、第２ガイド５２０は、陳列装置３０の幅方向における位置が調整可能に設けられている。即ち第２調整機構７００は、第１調整機構６００と同様に、回転可能に設けられユーザからの操作を受け付ける受け付け部材７１０（受け付け部の一例）、受け付け部材７１０から駆動力を受け陳列装置３０の幅方向にスライド移動するスライド部材７２０、スライド部材７２０のスライドをガイドするガイド部７３０、第２ガイド５２０を支持する支持部材７４０を備えている。ここで、スライド部材７２０および支持部材７４０は、受け付け部材７１０（受け付け部）にて受け付けた操作力を付与部材の一例としての第２ガイド５２０に伝達しこの第２ガイド５２０を移動させる移動機構として捉えることができる。なお、詳細な構成は第１調整機構６００と同じであるため、詳細な説明は省略する。
【００３５】
次に、図６を参照して回転機構５００について更に詳細に説明する。なお、同図（Ａ）は図３のＡ−Ａ線における断面図であり、図６（Ｂ）は図３のＢ−Ｂ線における断面図であり、図６（Ｃ）は図３のＣ−Ｃ線における断面図である。また、本図では、第１ガイド５１０、ガイド３２等の図示を省略している。
【００３６】
上記のとおり第２ガイド５２０には、傾斜部５２２が設けられ、この傾斜部５２２は、陳列装置３０の後方側に向かうに従い容器載置面３１Ａに接近するように配置されている。付言すれば、傾斜部５２２と容器載置面３１Ａとの離間距離が陳列装置３０の前方に向かうに従い大きくなるように、傾斜部５２２は配置されている。
例えば図６（Ａ）にて容器載置面３１Ａと傾斜部５２２の上面との離間距離がＨ１であった場合に、図６（Ｂ）では離間距離がＨ２（＞Ｈ１）となり、図６（Ｃ）では離間距離がＨ３（＞Ｈ２＞Ｈ１）となる。ここで、離間距離Ｈ１は、容器２０の底面から突出部２４の下面までの距離Ｈ１０（図２（Ａ）参照）よりも小さい。また、離間距離Ｈ３は、この距離Ｈ１０よりも大きい。なお、第１ガイド５１０（本図では不図示）は、容器載置面３１Ａとほぼ平行となるように配置されている。
【００３７】
本実施形態では、識別標記２３が移動経路の側方を向いた状態（前方以外の方向を向いた状態）で容器２０が陳列装置３０に投入されると、容器２０の右方側が第２ガイド５２０により持ち上げられ（突出部２４の右方側が第２ガイド５２０により下方から押圧され）、容器２０は左方側に傾くようになる。また、容器２０に第２ガイド５２０が接触すると、容器２０は回転するようになる。そして識別標記２３が前方を向くと、第２ガイド５２０による持ち上げが解除され、容器２０は識別標記２３が前方を向いた状態で前方に移動していく。
【００３８】
図７、図８（容器２０の動作を説明するための図）を用いて容器２０の動作について詳細に説明する。なお、図７（Ａ）は、図６（Ａ）で示した回転機構５００と容器２０とを示した図であり、図７（Ｂ）は、図６（Ｂ）で示した回転機構５００と容器２０とを示した図であり、また、図７（Ｃ）は、図６（Ｃ）で示した回転機構５００と容器２０とを示した図である。
【００３９】
図７（Ａ）に示すように、識別標記２３が移動経路の側方を向いた状態で投入された容器２０が、第２ガイド５２０の傾斜部５２２に達すると、容器２０の突出部２４の下部に傾斜部５２２が位置する状態となる。そして本実施形態では、傾斜部５２２が、上記のとおり、容器載置面３１Ａから離れるように傾斜した状態で配置されているために、容器２０が前方へ進むことにより突出部２４の下面に傾斜部５２２が接触し、容器２０に傾斜が付与される。付言すれば、容器本体２１のうち第２ガイド５２０が設けられている側が容器載置面３１Ａから離間する。また、突出部２４の下面に傾斜部５２２が接触することによりこの突出部２４に抗力が付与される。そしてこの抗力によって、容器２０（容器本体２１）の回転が開始される。
【００４０】
詳細には、容器２０の前方への移動に伴い突出部２４の下部に傾斜部５２２が接触する（同図（Ｂ）参照）。これにより容器２０に対し抗力が付与されるようになり、容器２０は上方から見て反時計回り方向（周方向）に回転するようになる（図中矢印参照）。また、容器２０が更に前方へ移動するのに伴い、突出部２４がストレート部５２１に持ち上げられるようになる（同図（Ｃ）参照）。これにより容器２０は、第１ガイド５１０側に傾くようになる。また、容器載置面３１Ａと容器２０との接触面積が低下するために容器２０がより回転しやすくなる。
【００４１】
なお、容器２０をストレート部５２１により持ち上げた際、容器２０はこのストレート部５２１から離れる方向（左側のガイド３２側）に移動する場合がある。このため、本実施形態では、容器２０の外周面に接触可能な位置に第１ガイド５１０を設けている。これにより容器２０が容器２０の側方から支持され、容器２０とストレート部５２１（第２ガイド５２０）との接触が維持される。付言すれば、容器２０の移動が規制され、容器２０とストレート部５２１との接触が維持される。
【００４２】
その後、容器２０は、図８（Ａ）に示すような回転を継続しながら前方へ移動していく。これにより第１識別標記２３ａが次第に前方を向くようになる。そして同図（Ｂ）に示すように識別標記２３（第１識別標記２３ａ）が前方を向く状態となると、ストレート部５２１（第２ガイド５２０）による突出部２４の支持（持ち上げ）が解除される。付言すれば、識別標記２３が前方を向く状態となると、突出部２４の第１平坦部２４１あるいは第２平坦部２４２（図２（Ｂ）参照）（突出部２４の切り欠き）が、ストレート部５２１と対峙するようになり、第２ガイド５２０による突出部２４の支持が解除される。
【００４３】
さらに説明すれば、図８（Ｂ）、（Ｃ）に示すように、第２ガイド５２０（ストレート部５２１）による突出部２４の支持が解除され、容器２０の上部側（キャップ２２側）がストレート部５２１（第２ガイド５２０）側に移動するようになる。これにより、容器２０への回転力の付与も解除される。なお、容器２０の上部側がストレート部５２１側に移動すると、ストレート部５２１の上面（接触面の一例）よりも下方に突出部２４の下面が位置するようになる（同図（Ｃ）参照）。その後、容器２０は同図（Ｃ）に示す姿勢を維持した状態で前方へスライドしていく。即ち、容器２０は、識別標記２３が前方を向いた状態を維持したまま陳列装置３０の前方まで移動していく。
【００４４】
本実施形態では、図７（Ａ）に示したように、例えば第１識別標記２３ａが側方を向いた状態で容器２０が容器載置面３１Ａに置かれたとしても、前方に達する段階において、第１識別標記２３ａが前方に向くようになる。このため、第１識別標記２３ａが前方に向いていない状態で容器２０の載置（投入）を行ったとしても、陳列ケース１０（図１（Ｂ）参照）の前方側に容器２０が達した際に第１識別標記２３ａを前方に向いた状態となる。即ち本実施形態では、容器２０を陳列装置３０に投入する投入者が特別な操作をしないでも、識別標記２３が前方を向くこととなる。
【００４５】
なお、識別標記２３が前方を向いた状態で容器２０が投入された場合には、傾斜部５２２による突出部２４の持ち上げが行われない。このため、容器２０は投入されたときの姿勢を維持したまま（識別標記２３が前方を向いた状態を維持したまま）陳列装置３０の前方へ移動していく。
【００４６】
また、上記では、第２ガイド５２０により容器２０が支持された際、容器２０が反時計回り方向に回転する場合を説明したが、第１ガイド５１０、第２ガイド５２０、容器２０の表面性状等によっては、容器２０が時計回り方向に回転する場合もある。
【００４７】
例えば、容器２０が第２ガイド５２０により持ち上げられるとともに第１ガイド５１０により支持される際、容器２０には第１ガイド５１０からも抗力が付与されることとなる。そしてこの抗力が、第２ガイド５２０により付与される抗力よりも大きい場合、容器２０は、時計回り方向に回転することとなる。また、容器２０が第２ガイド５２０により持ち上げられた際、容器２０は、右方側が第２ガイド５２０により支持されるとともに、左方側は容器載置面３１Ａに接触した状態となる。この場合において、容器載置面３１Ａから付与される抗力が大きい場合などにおいては、容器２０と第２ガイド５２０との間で滑りが生じ、容器２０は時計回り方向に回転することになる。
【００４８】
ここで、陳列装置３０に対しては、一種類の容器２０のみならず形状の異なる複数種類の容器２０を陳列できる方が好ましい。ところでこのような場合、容器２０の直径や容器２０の高さ方向における寸法が異なる場合がある。また、容器２０の高さ方向において突出部２４の位置が異なる場合がある。また突出部２４の直径Ｄ２（図２参照）が異なったり、上記距離Ｄ１（図２参照）が異なったりする場合がある。このような場合、第１ガイド５１０や第２ガイド５２０が一定位置にあると、容器２０に付された識別標記２３を前方に向けることができないおそれがある。このため、本実施形態における陳列装置３０では、上記のように、第１ガイド５１０、第２ガイド５２０の位置を調整可能に設け、様々な形状の容器２０にも対応できるようにしている。
【００４９】
また、陳列装置３０は、次のような構成とすることもできる。
図９および図１０は、陳列装置３０の変形例を示した図である。なお図１０（Ａ）は陳列装置３０の上面図である。図１０（Ｂ）は図１０（Ａ）のＡ−Ａ線における断面図を示している。
【００５０】
陳列装置３０は、図９に示すように、第２ガイド５２０の表面に、回転可能に設けられた球状のコロ５２３を設けることもできる。なお、このようにコロ５２３を設ける場合、第２ガイド５２０は、円柱状ではなく、平坦な上面が形成されるように断面を矩形とすることが好ましい。
【００５１】
また、図１０（Ｂ）に示すように、第２ガイド５２０は、円柱状ではなく、断面が半円状となるように形成することもできる。なお、この場合、円弧を有する部分が上部側に位置する。また、第２ガイド５２０は、図１０（Ｃ）に示すように、側方からではなく下方から支持することもできる。即ち、第２ガイド５２０の下部に対して支持部材７４０を接続することもできる。
【００５２】
また、容器２０は、次のような構成とすることができる。
図１１および図１２は、容器２０の変形例を示した図である。
例えば図１１に示すように、識別標記２３が一つのみ設けられる場合には、面削ぎ状（切り欠き状）の部位を一箇所設ける。即ち、第１平坦部２４１を一箇所設ける。なお、この第１平坦部２４１は、識別標記２３に対し９０°のずれを有して配置される。付言すれば、識別標記２３が一つのみ設けられる場合、突出部２４のうち第２ガイド５２０に対峙する部位であって、識別標記２３が陳列装置３０の前方を向いた際に第２ガイド５２０に対峙する部位に、切り欠きを設ける。
【００５３】
さらに説明すると、識別標記２３が向いている方向、識別標記２３が向いている方向とは反対の方向、および識別標記２３が向いている方向と直交する一方向の３つの方向に延びるような突出部２４を設ける。そして、突出部２４のうち、上記一方向とは反対の方向に延びる部位の突出量を小さくする。
【００５４】
また例えば図１２に示すように、２つの識別標記２３（第１識別標記２３ａ、第２識別標記２３ｂ）が所定の角度（本例では９０°）のずれを有して配置される場合がある。このような場合は、第１識別標記２３ａに対応して第２平坦部２４２を設け、第２識別標記２３ｂに対応して第１平坦部２４１を設ける。
【００５５】
さらに説明すると、容器２０を第１識別標記２３ａが設けられた側から眺めた場合（図１２（Ａ）の状態）に、突出部２４のうち容器２０の右側方側に突出する部位（第２ガイド５２０に対峙する部位）の突出量を他の部分より小さくする。また、同様に、容器２０を第２識別標記２３ｂが設けられた側から眺めた場合（不図示）に、突出部２４のうち容器２０の右側方側に突出する部位の突出量を他の部分より小さくする。
【００５６】
なお、識別標記２３が陳列装置３０の前方を向いていない状態で図１１に示した容器２０が陳列装置３０に投入された場合には、第２ガイド５２０により突出部２４が支持され、上記と同様に容器２０は回転する。そして、識別標記２３が前方を向くと、上記と同様、第２ガイド５２０による支持が解除される。
また、第１識別標記２３ａおよび第２識別標記２３ｂのいずれもが陳列装置３０の前方を向いていない状態で図１２に示した容器２０が投入された場合には、第２ガイド５２０により突出部２４が支持され容器２０は回転する。そして、第１識別標記２３ａおよび第２識別標記２３ｂのいずれかが陳列装置３０の前方を向くと、上記と同様、第２ガイド５２０による支持が解除される。
【００５７】
また、上記実施形態では樹脂製の容器２０を例示したが、いわゆる金属ボトル缶に対しても上記と同様の機能を付与することができる。但し、上記突出部２４に相当する箇所は、別部材を取り付けることにより形成することが好ましい。また第２ガイド５２０の突出部２４と接触する箇所に、凹凸を付与したり、ＥＰＤＭ（エチレン−プロピレンゴム）などのゴム部材を貼付等したりすることもできる。
【００５８】
また、第１調整機構６００および第２調整機構７００は、次のような形態とすることもできる。
図１３は、第１調整機構６００および第２調整機構７００の他の実施形態を示した図である。なお、上述した実施形態と同様の機能については、同様の符号を用いここではその説明を省略する。
【００５９】
本実施形態における第１調整機構６００では、スライド部材６２０の上面にラックギア部６２４が設けられている。なお、このラックギア部６２４は、陳列装置３０の幅方向に沿って設けられている。また、円筒状に形成されこのラックギア部６２４に噛み合うギア６５１と、ギア６５１が一方の端部側に取り付けられたシャフト６５２と、第１天井部５３４に固定されシャフト６５２を支持する軸受け６５３と、シャフト６５２の他方の端部側に取り付けられるとともに円盤状に形成されユーザからの操作を受け付ける受け付け部材６５０とが設けられている。
【００６０】
ここで同図（Ｂ）の状態から、受け付け部材６５０を時計回り方向に回転させると、ギギア６５１も時計回り方向に回転し、ラックギア部６２４を介してスライド部材６２０に駆動力が伝達される。これにより、第１ガイド５１０は、第２ガイド５２０が設けられている側に向かって移動する。また、同図（Ｂ）の状態から、受け付け部材６５０を反時計回り方向に回転させると、ギア６５１も反時計回り方向に回転し、ラックギア部６２４を介してスライド部材６２０に駆動力が伝達される。これにより、第１ガイド５１０は、第２ガイド５２０から離れる方向に移動する。
【００６１】
なお、詳細な説明は省略するが、第２調整機構７００は第１調整機構６００と同様に構成されている。即ち、第２調整機構７００では、スライド部材７２０の上面にラックギア部７２４が設けられている。また、第２調整機構７００には、円筒状に形成されこのラックギア部７２４に噛み合うギア７５１と、ギア７５１が一方の端部側に取り付けられたシャフト７５２と、第２天井部５３８に固定されシャフト７５２を支持する軸受け７５３と、シャフト７５２の他方の端部側に取り付けられユーザからの操作を受け付ける受け付け部材７５０とが設けられている。
【００６２】
図４で説明した実施形態、図１３で説明した実施形態の何れにおいても、ユーザからの操作を受け付ける受け付け部材６１０，７１０，６５０，７５０が、陳列装置３０において、容器２０の投入部側に設けられている。即ち、容器２０の取り出し部側ではなく容器２０の投入部側に設けられている。受け付け部材６１０，７１０，６５０，７５０が容器２０の取り出し部側に設けられていると、容器２０が取り出しにくくなるおそれがある。
【００６３】
また、陳列装置３０は、図１（Ｂ）に示したような陳列ケース１０に収納されることが多く、容器２０の投入部側に受け付け部材６１０，７１０，６５０，７５０を設ける場合には、陳列ケース１０の後部側（背部側）から、受け付け部材６１０，７１０，６５０，７５０の操作を行うことが可能となる。即ち、容器２０を購入する購入者の邪魔とならずに受け付け部材６１０，７１０，６５０，７５０の操作が可能となる。なお、図１（Ａ）に示す形態ではなく、回転機構５００が容器２０の取り出し部側に設けられる場合も考えられる。このような場合、図１３に示したシャフト６５２，７５２を延長するなどして受け付け部材６５０，７５０を容器２０の投入部側に設けることが好ましくなる。
【００６４】
また、陳列装置３０は、図１（Ｂ）に示すように、複数の陳列装置３０が幅方向に並べられて設置されるケースも多い。ところでこの場合に、受け付け部材６１０，７１０，６５０，７５０が、陳列装置３０の側方に設けられていると、隣接する他の陳列装置３０が邪魔となり、受け付け部材６１０，７１０，６５０，７５０の操作が困難となるおそれがある。このため、本実施形態では、受け付け部材６１０，７１０，６５０，７５０を、陳列装置３０の側方ではなく陳列装置３０の上部に設けている。
【００６５】
また、第１調整機構６００および第２調整機構７００は、次のような形態とすることもできる。
図１４は、第１調整機構６００および第２調整機構７００の他の実施形態を示した図である。なお、図１４（Ａ）は陳列装置３０の正面図であり、図１４（Ｂ）は陳列装置３０の上面図である。また、上述した実施形態と同様の機能については、同様の符号を用いここではその説明を省略する。
【００６６】
本実施形態の第１調整機構６００では、同図（Ｂ）に示すように、各ガイド部６３０のスライド部材６２０と対向する箇所に、複数（本実施形態では３本）の溝６３１が設けられている。なお、複数の溝６３１は、陳列装置３０の幅方向において、互いに異なる位置に設けられている。
一方、スライド部材６２０は、ガイド部６３０と対向する側面に、ガイド部６３０に向かって突出し上記溝６３１に入り込むことが可能な突起６２６を備えている。
【００６７】
ここで、本実施形態では、上記受け付け部材６１０，７１０，６５０，７５０を設けることなく、第１ガイド５１０の位置を調整可能としている。より具体的には、突起６２６を入り込ませる溝６３１の位置を変えることで、第１ガイド５１０の位置が変わる構成となっている。なお、第２調整機構７００も第１調整機構６００と同様に構成されており、第２調整機構７００では、各ガイド部７３０のスライド部材７２０と対向する箇所に、複数の溝７３１が設けられている。なお、複数の溝７３１は、陳列装置３０の幅方向において、互いに異なる位置に設けられている。
【００６８】
また、回転機構５００は、次のような形態とすることもできる。
図１５は、回転機構５００の他の実施形態を示した図である。
本実施形態では、第１側壁５３２および第２側壁５３６に固定され且つ容器２０の移動経路の上方を跨ぐように設けられた一つの天井部５３９が設けられている。そして本実施形態では、この天井部５３９の上部に調整機構８００が設けられている。
【００６９】
調整機構８００は、回転可能に設けられユーザからの操作を受け付ける受け付け部材８１０、受け付け部材８１０から駆動力を受け陳列装置３０の幅方向にスライド移動する第１スライド部材８２１、第２スライド部材８２２を備えている。また、第１スライド部材８２１、第２スライド部材８２２のスライドをガイドするガイド部８３０、第１ガイド５１０を支持する第１支持部材８４１、第２ガイド５２０を支持する第２支持部材８４２を備えている。
【００７０】
受け付け部材８１０は、円盤状に形成されるとともに回転可能な状態で天井部５３９に固定されている。また、受け付け部材８１０は、天井部５３９と対向する面にギア８１１を備える。
第１スライド部材８２１は、略Ｌ字に形成されるとともに天井部５３９に載せられた状態となっている。また、第１スライド部材８２１は、複数の側面のうち陳列装置３０の幅方向に沿った側面に、ラックギア部８２１Ａを有している。そしてこのラックギア部８２１Ａは、受け付け部材８１０に設けられたギア８１１に噛み合う状態となっている。
また、第２スライド部材８２２も、略Ｌ字に形成されるとともに天井部５３９に載せられた状態となっている。また、第２スライド部材８２２は、複数の側面のうち陳列装置３０の幅方向に沿い且つ上記ラックギア部８２１Ａと対向する側面に、ラックギア部８２２Ａを有している。そしてこのラックギア部８２２Ａは、受け付け部材８１０に設けられたギア８１１に噛み合う状態となっている。
【００７１】
ガイド部８３０は、陳列装置３０の幅方向に沿って設けられており、第１スライド部材８２１の陳列装置３０の幅方向における移動および第２スライド部材８２２の陳列装置３０の幅方向における移動をガイドする。なお、ガイド部８３０は、２つ設けられ、第１スライド部材８２１および第２スライド部材８２２を挟むように対向する関係で配置されている。
第１支持部材８４１は、板状に形成されるとともに一端が第１ガイド５１０に固定され他端が第１スライド部材８２１の下面に固定されている。なお、第１支持部材８４１は、天井部５３９に形成された第１貫通孔５３９Ａを通じ、第１スライド部材８２１から下方に延びている。また、第２支持部材８４２は、断面が略Ｌ字状に形成されるとともに、一端が第２ガイド５２０に固定され他端が第２スライド部材８２２の下面に固定されている。なお、第２支持部材８４２は、天井部５３９に形成された第２貫通孔５３９Ｂを通じ、第２スライド部材８２２から下方に延びている。
【００７２】
ここで例えば、図１５（Ｂ）の状態から受け付け部材８１０を時計回り方向に回すと、第１スライド部材８２１および第２スライド部材８２２が互いに接近する方向に移動する。これに伴い、第１ガイド５１０および第２ガイド５２０も互いに接近する方向に移動する。一方、図１５（Ｂ）の状態から受け付け部材８１０を反時計回り方向に回すと、第１スライド部材８２１および第２スライド部材８２２が互いに離れる方向に移動する。これに伴い、第１ガイド５１０および第２ガイド５２０も互いに離れる方向に移動する。上記実施形態では、第１ガイド５１０および第２ガイド５２０の各々を個別に移動させる態様であったが、本実施形態では、一つの操作で第１ガイド５１０および第２ガイド５２０の両者が移動する。
【００７３】
なお、陳列装置３０は、図１６〜図１９に示す形態とすることもできる。なお、以下では、第１ガイド５１０および第２ガイド５２０を中心に説明するが、第１ガイド５１０および第２ガイド５２０は、上記にて説明した実施形態の構成によって、陳列装置３０の高さ方向および幅方向に移動可能に設けることができる。
【００７４】
図１６〜図１９は、陳列装置３０の他の実施形態を説明するための図である。なお、図１６は陳列装置３０の上面図であり、図１７は陳列装置３０の正面図および背面図である。なお、図１７（Ａ）が正面図を示し、図１７（Ｂ）が背面図を示している。また、図１８は陳列装置３０の左側面図である。
【００７５】
図１６、図１７に示すように、本実施形態における第１ガイド５１０は、板状の部材により構成され、載置部３１の上方に設けられている。また、第１ガイド５１０は、前方側に第１傾斜部５１１を有し、後方側に第２傾斜部５１２を有している。
ここで第１傾斜部５１１は、図１７（Ａ）に示すように、図中左上側の一端部の方が図中右下側の他端部よりも上方に位置するように、且つ、この一端部の方が他端部よりも左側に位置するように傾斜して配置されている。付言すれば、第１傾斜部５１１は、陳列装置３０の載置部３１から離れるに従い左側に寄るように傾斜して配置されている。
【００７６】
また第１傾斜部５１１は、図１６に示すように、キャップ２２の外周面（容器２０の側部）が接触する（詳細は後述）接触面５１１ａに、複数の凸部および凹部を有している。
なお接触面５１１ａは、図１７（Ａ）に示すように、載置部３１の容器載置面３１Ａから離れるに従い容器２０の移動経路の側方（図１７中左方向）に接近するように傾斜した状態となっている。付言すれば、接触面５１１ａは、容器２０の移動経路の側方に向かうに従い容器載置面３１Ａから離れるように傾斜した状態となっている。更に付言すれば、接触面５１１ａは、左側のガイド３２側に傾斜して配置され、斜め上方を向くように配置されている。
【００７７】
図１６を再度参照し説明を続ける。接触面５１１ａに形成された凸部および凹部は、陳列装置３０の前後方向と直交する方向に沿って形成されるとともに、陳列装置３０の前後方向において、交互に配置されている。そして本実施形態では、キャップ２２の外周面が接触面５１１ａに接触した状態にあると、キャップ２２の外周面に形成された凹凸と、接触面５１１ａに形成された凹凸とが噛み合うようになる。この結果、容器２０における左方側の移動が抑制され、容器２０は周方向の回転を行う（詳細は後述）。
【００７８】
第２傾斜部５１２は、陳列装置３０の後方側に向かうに従い、左側のガイド３２に接近するように配置されている。付言すれば第２ガイド５２０との間に形成される間隙が拡がるように配置されている。なお、第２傾斜部５１２には、上記凹凸が設けられていないが、この第２傾斜部５１２にも凹凸を付与することができる。この第２傾斜部５１２は、陳列装置３０に投入された容器２０を第２ガイド５２０側に誘導する。
【００７９】
ここで図１９を参照して回転機構５００について更に詳細に説明する。なお、同図（Ａ）は図１６のＡ−Ａ線における断面図であり、同図（Ｂ）は図１６のＢ−Ｂ線における断面図であり、同図（Ｃ）は図１６のＣ−Ｃ線における断面図である。
【００８０】
第２ガイド５２０には、上記にて説明したように、傾斜部５２２が設けられ、そしてこの傾斜部５２２は、陳列装置３０の後方側に向かうに従い載置部３１に接近するように配置されている。本実施形態においても、図１９（Ａ）にて容器載置面３１Ａと傾斜部５２２との離間距離がＨ１となっており、図１９（Ｂ）では離間距離がＨ２（＞Ｈ１）となっており、図１９（Ｃ）では離間距離がＨ３（＞Ｈ２＞Ｈ１）となっている。また、第１ガイド５１０と第２ガイド５２０との水平方向の距離Ｗ１，Ｗ２，Ｗ３は、Ｗ１＞Ｗ２＞Ｗ３の関係になっている。
【００８１】
本実施形態でも、識別標記２３が移動経路の側方を向いた状態（前方以外の方向を向いた状態）で容器２０が陳列装置３０に投入されると、容器２０の右方側が傾斜部５２２により持ち上げられ、容器２０は左方側に傾くようになる。そしてこの傾きによって、容器２０のキャップ２２が第１ガイド５１０に接触し、容器２０が回転するようになる。そして識別標記２３が前方を向くと、キャップ２２が第１ガイド５１０から離間し、容器２０は識別標記２３が前方を向いた状態で前方に移動していく。
【００８２】
図２０、図２１（容器２０の動作を説明するための図）を用いて容器２０の動作について詳細に説明する。なお、図２０（Ａ）は、図１９（Ａ）で示した回転機構５００と容器２０とを示した図であり、図２０（Ｂ）は、図１９（Ｂ）で示した回転機構５００と容器２０とを示した図であり、また、図２０（Ｃ）は、図１９（Ｃ）で示した回転機構５００と容器２０とを示した図である。
【００８３】
図２０（Ａ）に示すように、識別標記２３が移動経路の側方を向いた状態で投入された容器２０が、第１ガイド５１０の第２傾斜部５１２と第２ガイド５２０の傾斜部５２２との間に達すると、容器２０の突出部２４の下部に傾斜部５２２が位置する状態となる。そして、傾斜部５２２が載置部３１（容器載置面３１Ａ）から離れるように傾斜した状態で配置されているために、容器２０に傾斜が付与される。
【００８４】
詳細には、容器２０の前方への移動に伴い突出部２４の下部に傾斜部５２２が接触する。そして、容器２０がさらに前方へ移動するのに伴い、突出部２４が傾斜部５２２に持ち上げられるようになる（同図（Ｂ）参照）。これにより容器２０は、第２傾斜部５１２（第１ガイド５１０）側に傾くようになる。そして、容器２０は、突出部２４が傾斜部５２２により更に持ち上げられることで更に傾くようになり、同図（Ｃ）に示すように、キャップ２２の外周面であってキャップ２２の上部側が第１傾斜部５１１（第１ガイド５１０）の接触面５１１ａに接触する。
【００８５】
これによりキャップ２２の外周面における凹凸と、第１傾斜部５１１の接触面５１１ａにおける凹凸との間で噛み合いが生じ、容器２０のうち第１ガイド５１０が設けられた側の移動が規制される。そして、この規制により、容器２０の突出部２４と第２ガイド５２０との間に滑りが生じるようになり、容器２０は、図２１（Ａ）の矢印６Ｄに示すように周方向の回転を開始する。また、容器２０は更に前方へ移動していく。ここで、本実施形態における第１ガイド５１０は、容器２０の外周面に接触し第２ガイド５２０に対する容器２０の滑りを生じさせる外周面接触部として捉えることができる。
【００８６】
そして同図（Ｂ）に示すように識別標記２３（第２識別標記２３ｂ）が前方を向く状態となると、ストレート部５２１（第２ガイド５２０）による突出部２４の支持が解除される。付言すれば、識別標記２３が前方を向く状態となると、突出部２４の第１平坦部２４１あるいは第２平坦部２４２（図２（Ｂ）参照）が、ストレート部５２１と対峙するようになり、第２ガイド５２０による突出部２４の支持が解除される。
【００８７】
この結果、図２１（Ｂ）、（Ｃ）に示すように、容器２０の上部側（キャップ２２側）がストレート部５２１（第２ガイド５２０）側に移動するようになり、キャップ２２と第１傾斜部５１１（第１ガイド５１０）とが離間するようになる。これにより、容器２０への回転力の付与も解除される。そして、容器２０は同図（Ｃ）に示す姿勢を維持した状態で前方へスライドしていく。即ち、容器２０は、識別標記２３が前方を向いた状態を維持したまま陳列装置３０の前方まで移動していく。
【００８８】
本実施形態でも、図２０（Ａ）に示したように、例えば第２識別標記２３ｂが側方を向いた状態で容器２０が容器載置面３１Ａ（載置部３１）に置かれたとしても、前方に達する段階において、第２識別標記２３ｂが前方に向くようになる。このため、第２識別標記２３ｂが前方に向いていない状態で容器２０の載置（投入）を行ったとしても、陳列ケース１０（図１（Ｂ）参照）の前方側に容器２０が達した際に第２識別標記２３ｂを前方に向いた状態となる。即ち本実施形態でも、容器２０を陳列装置３０に投入する投入者が特別な操作をしないでも、識別標記２３が前方を向くこととなる。
【００８９】
なお、識別標記２３が前方を向いた状態で容器２０が投入された場合には、第２ガイド５２０の傾斜部５２２による突出部２４の持ち上げが行われない。このため、キャップ２２と第１ガイド５１０との接触も行われず、容器２０は投入されたときの姿勢を維持したまま（識別標記２３が前方を向いた状態を維持したまま）陳列装置３０の前方へ移動していく。
【符号の説明】
【００９０】
２０…容器、２３ａ…第１識別標記、２３ｂ…第２識別標記、３０…陳列装置、３１…載置部、５１０…第１ガイド、５２０…第２ガイド、７１０…受け付け部材、７２０…スライド部材、７４０…支持部材
【図１】
2010279607.tif 000003
【図２】
2010279607.tif 000004
【図３】
2010279607.tif 000005
【図４】
2010279607.tif 000006
【図５】
2010279607.tif 000007
【図６】
2010279607.tif 000008
【図７】
2010279607.tif 000009
【図８】
2010279607.tif 000010
【図９】
2010279607.tif 000011
【図１０】
2010279607.tif 000012
【図１１】
2010279607.tif 000013
【図１２】
2010279607.tif 000014
【図１３】
2010279607.tif 000015
【図１４】
2010279607.tif 000016
【図１５】
2010279607.tif 000017
【図１６】
2010279607.tif 000018
【図１７】
2010279607.tif 000019
【図１８】
2010279607.tif 000020
【図１９】
2010279607.tif 000021
【図２０】
2010279607.tif 000022
【図２１】
2010279607.tif 000023